(57)【特許請求の範囲】
【請求項１】
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、前記外周側支持板の下辺部の形状に沿う支持凹部を有し、この支持凹部に外周側支持板を介して巻鉄心を載置支持する支持台とを具備してなる巻鉄心変圧器。
【請求項２】
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように設けられた二分割形の内周側支持板と、
前記巻鉄心のコイル装着部に装着されたコイルと、
前記巻鉄心の左、右外側にその巻鉄心を挟持するように配設された左、右側支持板と、
前記巻鉄心の継目部分を有する一辺部が下辺部となる状態において、その巻鉄心の下辺部の形状に沿う支持凹部を有し、その支持凹部に前記巻鉄心を載置支持する支持台とを具備してなる巻鉄心変圧器。
【請求項３】
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、前記外周側支持板の下辺部に沿うように配置され、両端部が前記コイルの内部を通して導出されて上部構造物に吊下げられる吊下バンドとを具備してなる巻鉄心変圧器。
【請求項４】
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が上辺部となる状態において、その巻鉄心の継目部分を内周側支持板および外周側支持板を介して上部構造物との間に締付ける締付手段とを具備してなる巻鉄心変圧器。
【請求項５】
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、その巻鉄心の継目部分を内周側支持板および外周側支持板を介して下部構造物との間に締付ける締付手段と、
前記巻鉄心の上辺部を内周側支持板を介して上部構造物側に引張る引張手段とを具備してなる巻鉄心変圧器。
【発明の詳細な説明】
【０００１】
【発明の属する技術分野】
本発明は、焼鈍後の非晶質合金薄帯が複数枚積層されてほぼ矩形状に形成された巻鉄心を用いた巻鉄心変圧器に関する。
【０００２】
【従来の技術】
従来の巻鉄心変圧器の構成を図９に示す。ずなわち、巻鉄心１は、鉄心材薄帯が複数枚積層されてその一辺部に継目部分２を有するようにほぼ矩形状に形成されたものであり、その一辺部に隣合う二辺部がコイル装着部とされている。そして、この巻鉄心１にコイル３、３を装着するに際しては、巻鉄心１の継目部分２が開かれてコイル３、３がコイル装着部に嵌込み装着された後、再び継目部分２が閉じられる。さらに、巻鉄心１の変形を防止しかつ継目部分２を閉状態に拘束するために、巻鉄心１の外周に支持板４が配設され、その支持版４の外周が締付バンド５によって締付けられるようになっている。
【０００３】
【発明が解決しようとする課題】
巻鉄心１の鉄心材薄帯として焼鈍後の非晶質合金薄帯たるアモルファス合金薄帯を用いた場合には、方向性珪素薄帯に比し損失が少ないという利点があるが、反面、つぎのような欠点がある。
（１）締付バンド５により支持板４を締付け過ぎると、支持板４が変形して巻鉄心１に応力が加わり、アモルファス合金薄帯の磁気特性が応力に敏感なことから、巻鉄心１の特性が悪化する。
（２）巻鉄心１を構成する焼鈍後のアモルファス合金薄帯は、圧縮変形にもろいので、締付バンド５により締付け過ぎると、鉄心材たるアモルファス合金薄帯が破損する。
（３）巻鉄心１の大きさによって締付バンド５による締付力が変化するので、締付力の管理が必要になって、作業性が悪くなる。
【０００４】
本発明は上述の事情に鑑みてなされたものであり、その目的は、焼鈍後の非晶質合金薄帯を用いた巻鉄心の変形を防止しかつ継目部分を閉状態に拘束しながらも、巻鉄心の特性の悪化を防止でき、非晶質合金薄帯の破損を防止でき、作業性の向上を図ることができる巻鉄心変圧器を提供するにある。
【０００５】
【課題を解決するための手段】
請求項１記載の巻鉄心変圧器は、
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、前記外周側支持板の下辺部の形状に沿う支持凹部を有し、この支持凹部に外周側支持板を介して巻鉄心を載置支持する支持台とを具備する構成に特徴を有する。
【０００６】
このような構成によれば、巻鉄心は、内周側支持板と外周側支持板とにより変形が防止され、継目部分は、支持台に載置支持された巻鉄心の自重により閉状態に拘束される。従って、従来とは異なり、巻鉄心の外周に締付力を加える締付バンドは不要になり、締付バンドの締付力過剰に起因した、巻鉄心の特性の悪化はなく、また、非晶質合金薄帯の破損もなく、さらに、締付バンドの締付力の管理も不要で、作業性の向上を図ることができる。
【０００７】
請求項２記載の巻鉄心変圧器は、
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように設けられた二分割形の内周側支持板と、
前記巻鉄心のコイル装着部に装着されたコイルと、
前記巻鉄心の左、右外側にその巻鉄心を挟持するように配設された左、右側支持板と、
前記巻鉄心の継目部分を有する一辺部が下辺部となる状態において、その巻鉄心の下辺部の形状に沿う支持凹部を有し、その支持凹部に前記巻鉄心を載置支持する支持台とを具備する構成に特徴を有する。
【０００８】
このような構成によれば、巻鉄心は、内周側支持板と左および右側支持板とにより変形が防止され、継目部分は、請求項１と同様に、支持台に載置支持された巻鉄心の自重により閉状態に拘束される。従って、この請求項２によっても、巻鉄心の外周に締付力を加える締付バンドは不要になり、請求項１と同様の効果が得られる。
【０００９】
請求項３記載の巻鉄心変圧器は、
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、前記外周側支持板の下辺部に沿うように配置され、両端部が前記コイルの内部を通して導出されて上部構造物に吊下げられる吊下バンドとを具備してなる。
【００１０】
このような構成によれば、巻鉄心は、請求項１と同様に、内周側支持板と外周側支持板とにより変形が防止され、継目部分は、吊下バンドが外周側支持板の下辺部すなわち巻鉄心の下辺部になじむようになって巻鉄心の自重により閉状態に拘束される。従って、この請求項３によっても、巻鉄心の外周に締付力を加える締付バンドは不要になり、請求項１と同様の効果が得られる。
【００１１】
請求項４記載の巻鉄心変圧器は、
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が上辺部となる状態において、その巻鉄心の継目部分を内周側支持板および外周側支持板を介して上部構造物との間に締付ける締付手段とを具備する構成に特徴を有する。
【００１２】
このような構成によれば、巻鉄心は、請求項１と同様に、内周側支持板と外周側支持板とにより変形が防止され、継目部分は、締付手段による締付力により閉状態に拘束される。従って、この請求項４によっても、巻鉄心の外周に締付力を加える締付バンドは不要になり、請求項１と同様の効果が得られる。
【００１３】
請求項５記載の巻鉄心変圧器は、
焼鈍後の非晶質合金薄帯が複数枚積層されてその一辺部に継目部分を有するとともに、この一辺部と隣合う辺部にコイル装着部を有するようにほぼ矩形状に形成された巻鉄心と、
前記巻鉄心の内周にこれに沿うように配設された二分割形の内周側支持板と、
前記巻鉄心の外周にこれに沿うように配設された二分割形の外周側支持板と、
前記巻鉄心のコイル装着部に装着されたコイルと、
前記巻鉄心の継目部分を有する一辺部が下辺部となる状態において、その巻鉄心の継目部分を内周側支持板および外周側支持板を介して下部構造物との間に締付ける締付手段と、
前記巻鉄心の上辺部を内周側支持板を介して上部構造物側に引張る引張手段とを具備する構成に特徴を有する。
【００１４】
このような構成によれば、巻鉄心は、請求項１と同様に、内周側支持板と外周側支持板とにより変形が防止され、継目部分は、締付手段による締付力により閉状態に拘束され、しかも、引張手段の引張力により巻鉄心の変形が一層防止される。従って、この請求項５によっても、巻鉄心の外周に締付力を加える締付バンドは不要になって、請求項１と同様の効果が得られ、特に、巻鉄心の変形を確実に防止できるという利点がある。
【００１５】
【発明の実施の形態】
以下、本発明の第１の実施例について、図１および図２を参照しながら説明する。
まず、図１において、巻鉄心１０は、焼鈍後の非晶質合金薄帯たるアモルファス合金薄帯が例えばワンターンカット方式により複数枚積層されてほぼ矩形状に形成されたもので、一辺部（継鉄部）１０ａに継目部分１１を有し、この一辺部１０ａと隣合う二辺部がコイル装着部（脚部）１０ｂ、１０ｂとされている。
【００１６】
この巻鉄心１０において、内周には、その内周に沿うようにして二分割の内周側支持体たる上部内周側支持体１２ａおよび下部内周側支持体１２ｂが配設され、外周には、その外周に沿うようにして二分割の外周側支持体たる上部外周側支持体１３ａおよび下部外周側支持体１３ｂが配設されている。この場合、上部内周側支持体１２ａ、下部内周側支持体１２ｂおよび上部外周側支持体１３ａ、下部外周側支持体１３ｂは、巻鉄心１０の形状になじみ易い軟質金属板、例えばアルミ板或いは珪素鋼板、若しくは、極薄非磁性金属板、例えばステンレス板などによって形成されている。巻鉄心１０のコイル装着部１０ｂ、１０ｂには、樹脂モールドされたコイル１４、１４が嵌込み装着されている。以上により、変圧器本体１５が構成されている。
【００１７】
そして、変圧器本体１５は、巻鉄心１０の一辺部１０ａが下辺部となる状態で変圧器タンクの底板１６上の支持台１７に載置支持されている。ここで、支持台１７は、３個の絶縁材製のこま１７ａ、１７ｂおよび１７ｃからなり、その上面には、全体として、下部外周側支持板１３ｂの下辺部の形状に沿う弧状の支持凹部１７ｄが形成されている。したがって、巻鉄心１０を下部外周側支持板１３ｂを介して支持台１７の支持凹部１７ｄに載置支持させたときには、巻鉄心１０の一辺部（下辺部）１０ａは下部外周側支持板１３ｂを介して支持凹部１７ｄになじむようになる。
【００１８】
つぎに、本実施例の変圧器本体１５の組立て手順について図２を参照して説明する。
図２（ａ）に示すほぼ矩形状の巻鉄心１０は開放治具にセットされ、図２（ｂ）に示すように、一辺部１０ａの各半部がコイル装着部１０ｂ、１０ｂと一直線状になるように継目部分１１が開かれる。さらに、図２（ｃ）に示すように、巻鉄心１０の内周上半部および外周上半部に、それぞれ上部内周側支持板１２ａおよび上部外周側支持板１３ａが嵌込み配置されてテープにより固定される。
【００１９】
つぎに、図２（ｄ）に示すように、作業台１８上にコイル１４、１４がセットされ、図２（ｅ）に示すように、巻鉄心１０の一辺部１０ａの各半部およびこれらに続くコイル装着部１０ｂ、１０ｂがコイル１４、１４に挿入される。その後、図２（ｆ）に示すように、巻鉄心１０の内周下半部に下部内周側支持板１２ｂが挿入されてテープにより固定される。そして、巻鉄心１０は閉塞治具にセットされて、図２（ｇ）に示すように、一辺部１０ａが復元するように継目部分１１が閉じられ、巻鉄心１０の外周下半部に下部外周側支持板１３ｂが嵌込み配置されてテープにより固定される。
【００２０】
このように本実施例によれば、巻鉄心１０の内周に、これに沿うようにして上部内周側支持板１２ａおよび下部内周側支持板１２ｂを配設し、巻鉄心１０の外周に、これに沿うようにして上部外周側支持板１３ａおよび下部外周側支持板１３ｂを配設するようにしたので、これらの上部内周側支持板１２ａ、下部内周側支持板１２ｂおよび上部外周側支持板１３ａ、下部外周側支持板１３ｂにより巻鉄心１０の変形を防止することができる。そして、巻鉄心１０を、その一辺部１０ａが下辺部となる状態で下部外周側支持板１３ｂを介して支持台１７に載置支持させるようにしたので、巻鉄心１０の自重により継目部分１１を閉状態に拘束することができる。
【００２１】
したがって、従来のような巻鉄心の外周に締付力を加える締付バンドを用いる必要はないので、締付バンドの締付力過剰に起因する、巻鉄心１０の特性の悪化はなく、また、非晶質合金薄帯たるアモルファス合金薄帯の破損もなく、さらには、締付バンドの締付力の管理も不要で、作業性の向上を図ることができる。
【００２２】
図３は本発明の第２の実施例であり、図１と同一部分には同一符号を付して示し、以下異なる部分について説明する。
この第２の実施例では、上部外周側支持板１３ａおよび下部外周側支持板１３ｂは設けられておらず、代わりに、巻鉄心１０の左側のコイル装着部１０ｂの外側とコイル１４の内周との隙間に左側支持板１９が打込まれ、巻鉄心１０の右側のコイル装着部１０ｂの外側とコイル１４の内周との隙間に右側支持板２０が打込まれて、これらの左側支持板１９および右側支持板２０により巻鉄心１０を挟持するようにしたものであり、以て、変圧器本体２１が構成されている。
【００２３】
支持台２２は、支持台１７に代わるもので、３個の絶縁材製のこま２２ａ、２２ｂおよび２２ｃからなり、その上面には、全体として、巻鉄心１０の一辺部（下辺部）１０ａの形状に沿う弧状の支持凹部２２ｄが形成されている。従って、巻鉄心１０を支持台２２の支持凹部２２ｄに載置支持させたときには、巻鉄心１０の一辺部（下辺部）１０ａは支持凹部２２ｄになじむようになる。
【００２４】
この第２の実施例によれば、巻鉄心１０は、上部内周側支持板１２ａ、下部内周側支持板１２ｂと左側支持板１９、右側支持板２０とにより変形が防止され、継目部分１１は、第１の実施例と同様に、支持台２２に載置支持された巻鉄心１０の自重により閉状態に拘束される。従って、この第２の実施例によっても、巻鉄心の外周に締付力を加える締付バンドは不要になり、第１の実施例と同様の効果が得られる。
【００２５】
図４は本発明の第３の実施例であり、図１と同一部分には同一符号を付して示し、以下異なる部分について説明する。
この第３の実施例では、支持台１７は設けられておらず、代わりに鋼板製の吊下バンド２３が用いられる。この吊下バンド２３は、下部外周側支持板１３ｂの下辺部に沿うように配置されて、その両端部は、コイル１４、１４の内部を通して上方に導出されている。そして、吊下バンド２３の両端部には、フック２４、２４が取付けられるようになっており、フック２４、２４は、変圧器タンク内の上部構造物２５に設けられた吊具２６、２６に引掛け支持されるようになっている。したがって、変圧器本体１５は、吊下バンド２３により上部構造物２５に吊下げ支持されるものである。
【００２６】
このような第３の実施例によれば、巻鉄心１０は、第１の実施例と同様に、上部内周側支持板１２ａ、下部内周側支持板１２ｂおよび上部外周側支持板１３ａ、下部外周側支持板１３ｂにより変形が防止され、継目部分１１は、吊下バンド２３が下部外周側支持板１３ｂの下辺部すなわち巻鉄心１０の一辺部（下辺部）１０ａになじむようになって巻鉄心１０の自重により閉状態に拘束される。したがって、この第３の実施例によっても、巻鉄心の外周に締付力を加える締付バンドは不要になり、第１の実施例と同様の効果が得られる。
【００２７】
図５および図６は本発明の第４の実施例であり、図１と同一部分には同一符号を付して示し、以下異なる部分について説明する。
この第４の実施例では、上部構造物２５にボルト２７、２７が設けられ、両端部に取付片部２８ａ、２８ａを有する締付手段たる締付具２８が用いられるもので、変圧器本体１５を巻鉄心１０の一辺部１０ａが上辺部となるように図１とは上下逆の状態にして、内周側支持体１２ｂの継目部分１１と対応する部位に締付具２８が宛われ、取付片部２８ａ、２８ａにボルト２７、２７が相対的に挿通された上で、そのボルト２７、２７にナット２９、２９が螺合され、以て、巻鉄心１０の一辺部（上辺部）１０ａの継目部分１１が内周側支持板１２ｂおよび外周側支持板１３ｂを介して上部構造物２５に締付けられている。
【００２８】
このような第４の実施例によれば、巻鉄心１０は、第１の実施例と同様に、内周側支持板１２ａ、１２ｂおよび外周側支持板１３ａ、１３ｂにより変形が防止され、継目部分１１は、締付具２８により上部構造物２５に締付けられて閉状態に拘束される。したがって、この第４の実施例によっても、巻鉄心の外周に締付力を加える締付バンドは不要になり、第１の実施例と同様の効果が得られる。
【００２９】
図７および図８は本発明の第５の実施例であり、図１と同一部分には同一符号を付して示し、以下異なる部分について説明する。
この第５の実施例では、変圧器タンク内の下部構造物３０にボルト３１、３１が設けられ、両端部に取付片部３２ａ、３２ａを有する締付手段たる締付具３２が用いられるもので、下部内周側支持体１２ｂの継目部分１１と対応する部位に締付具３２が宛われ、取付片部３２ａ、３２ａにボルト３１、３１が相対的に挿通された上で、そのボルト３１、３１にナット３３、３３が螺合され、以て、巻鉄心１０の一辺部（下辺部）１０ａの継目部分１１が下部内周側支持板１２ｂおよび下部外周側支持板１３ｂを介して下部構造物３０に締付けられている。
【００３０】
また、この第５の実施例では、上部構造物２５にボルト３４、３４が設けられ、両端部に取付片部３５ａ、３５ａを有する引張手段たる引張具３５が用いられるもので、上部内周側支持体１２ａの中央部位に引張具３５が宛われ、取付片部３５ａ、３５ａにボルト３４、３４が相対的に挿通された上で、そのボルト３４、３４にナット３６、３６が螺合され、以て、巻鉄心１０の他辺部（上辺部〜継鉄部）１０ｃが上部内周側支持板１２ａを介して上部構造物２５側に引張られている。
【００３１】
この第５の実施例によれば、巻鉄心１０は、第１の実施例と同様に、上部内周側支持板１２ａ、下部内周側支持板１２ｂおよび上部外周側支持板１３ａ、下部外周側支持板１３ｂにより変形が防止され、継目部分１１は、締付具３２により下部構造物３０に締付けられて閉状態に拘束され、さらに、巻鉄心１０の他辺部（上辺部）１０ｃが引張具３５により上部内周側支持板１２ａを介して上部構造物２５側に引張られているので、巻鉄心１０の変形が一層防止される。したがって、この第５の実施例によっても、巻鉄心の外周に締付力を加える締付バンドは不要になって、第１の実施例と同様の効果が得られ、特に、巻鉄心１０の変形を確実に防止することができるという利点がある。
【００３２】
なお、本発明は上記しかつ図面に示す実施例に限定されるものではなく、つぎのような変形、拡張が可能である。
第３の実施例（図４）に示す吊下手段たるフック２４、吊具２６の代わりにその他の一般的な吊下手段を用いるようにしてもよい。
第４の実施例（図５および図６）に示す締付具２８の代わりにその他の一般的な締付手段を用いるようにしてもよい。第５の実施例（図７および図８）に示す締付具３２についても同様である。
第５の実施例（図７および図８）に示す引張具３５の代わりにその他の一般的な引張手段を用いるようにしてもよい。
【００３３】
【発明の効果】
以上の記述で明らかなように、本発明の巻鉄心変圧器によれば、巻鉄心の外周に締付力を加える締付バンドを用いずに、焼鈍後の非晶質合金薄帯で形成されて巻鉄心の変形を防止しかつ継目部分を閉状態に拘束する構成としたので、締付バンドの締付力過剰に起因する、巻鉄心の特性の悪化を防止できるとともに、非晶質合金薄帯の破損を防止でき、しかも、締付力の管理が不要で、作業性の向上を図ることができる。
【図面の簡単な説明】
【図１】本発明の第１の実施例を示す要部の正面図
【図２】巻鉄心本体の組立て手順を示す図
【図３】本発明の第２の実施例を示す図１相当図
【図４】本発明の第３の実施例を示す図１相当図
【図５】本発明の第４の実施例を示す図１相当図
【図６】図５のＡ−Ａ線に沿う断面図
【図７】本発明の第５の実施例を示す図１相当図
【図８】図７のＢ−Ｂ線に沿う断面図
【図９】従来例を示す図１相当図
【符号の説明】
図面中、１０は巻鉄心、１０ａは一辺部、１０ｂは隣合う辺部、１１は継目部分、１２ａおよび１２ｂは内周側支持板、１３ａおよび１３ｂは外周側支持板、１４はコイル、１５は変圧器本体、１７は支持台、１７ｃは支持凹部、１９は左側支持板、２０は右側支持板、２１は変圧器本体、２２は支持台、２３は吊下バンド、２５は上部構造物、２８は締付具（締付手段）、３０は下部構造物、３２は締付具（締付手段）、３５は引張具（引張手段）を示す。
【図１】
0003868676.tif 000002
【図２】
0003868676.tif 000003
【図３】
0003868676.tif 000004
【図４】
0003868676.tif 000005
【図５】
0003868676.tif 000006
【図６】
0003868676.tif 000007
【図７】
0003868676.tif 000008
【図８】
0003868676.tif 000009
【図９】
0003868676.tif 000010